(57)【要約】【課題】電気盤のアースターミナルに測定棒を繋いで行われる電気試験を効率よく行う。【解決手段】アースターミナル１５は、測定器の測定棒４１を把持する測定棒把持機構と、外部からの押込み操作を弾性体に作用させて測定棒４１の把持力を解除する把持力解除機構とを備える。弾性体は、柄部３１１、測定棒当接部３１２、測定棒ガイド部３１３を有する一対の測定棒挟持片３１とコイルバネ３２を含む。把持力解除機構は、押込み操作により円筒状部材１５１に押し込まれることにより弾性体に当接して弾性体に作用する操作ボタン１５４である。アースターミナル１５は、電気盤に形成されたスリット１２に挿入されてその先端部が電気盤の内部に設けられたアースバー２１に当接する接触棒１５７、及び接触棒１５７をアースバー２１の方向に付勢する付勢機構を含む、スライド機構を備える。【選択図】図３
2017123219.tif 000002
【特許請求の範囲】
【請求項１】
電気盤に設けられるアースターミナルの構造であって、
一方の端面に測定器の測定棒が差し込まれる差込孔を有する筒状部材と、
前記筒状部材の内部に設けられる弾性体と、
前記弾性体の弾性力により前記測定棒を所定の把持力で把持する測定棒把持機構と、
外部から行われる押込み操作を前記弾性体に作用させて前記把持力を解除する把持力解除機構と、
を備える、
電気盤のアースターミナル構造。
【請求項２】
請求項１に記載の電気盤のアースターミナル構造であって、
前記弾性体は、所定長さで延出する平面状の部材からなる柄部、前記柄部に連続して形成され、弧状断面を有する測定棒当接部、及び、前記測定棒当接部に連続して形成され、前記差込孔から差し込まれる前記測定棒を前記測定棒当接部の方向にガイドする測定棒ガイド部、を有するとともに、前記測定棒を前記測定棒当接部の間に所定の把持力で挟持するように対向して配置される一対の測定棒挟持片を含み、
前記把持力解除機構は、外部から行われる押込み操作を前記柄部に作用させて前記把持力を解除する、
電気盤のアースターミナル構造。
【請求項３】
請求項２に記載の電気盤のアースターミナル構造であって、
前記弾性体は、前記一対の測定棒挟持片に前記把持力となる付勢力を与えるコイルバネを含む、
電気盤のアースターミナル構造。
【請求項４】
請求項１乃至３のいずれか一項に記載の電気盤のアースターミナル構造であって、
前記把持力解除機構は、外部から行われる押込み操作により前記筒状部材の内部に押し込まれ、前記弾性体に当接して前記弾性体に作用する操作ボタンを含む、
電気盤のアースターミナル構造。
【請求項５】
請求項１乃至４のいずれか一項に記載の電気盤のアースターミナル構造であって、
前記差込孔を開閉する蓋体、及び、前記蓋体が前記測定棒により押圧された場合は前記差込孔を開くように前記蓋体に作用し、前記差込孔から前記測定棒が引き抜かれた際は前記差込孔を閉じるように前記蓋体に作用する付勢機構、を含む防塵機構、
を更に備える、
電気盤のアースターミナル構造。
【請求項６】
請求項１乃至５のいずれか一項に記載の電気盤のアースターミナル構造であって、
前記筒状部材の前記一方の端面に対応する他方の端面に設けられ、前記電気盤に形成されたスリットに挿入されてその先端部が前記電気盤の内部に設けられたアースバーに当接する接触棒、及び、前記接触棒を前記アースバーの方向に付勢する付勢機構を含む、スライド機構、
を更に備える、
電気盤のアースターミナル構造。
【発明の詳細な説明】
【技術分野】
【０００１】
本発明は、電気盤のアースターミナル構造に関し、とくにアースターミナルに測定棒を取り付けて行われる各種試験を効率よく行えるようにするための技術に関する。
【背景技術】
【０００２】
特許文献１には、変電所等の電気所に設置された継電器盤等の電気盤において、テストプラグにテスタ等の計測器具を接続して相間電圧等を計測する場合に、感電や短絡等の危険を回避し、安全かつ確実に測定を行うことを目的として構成されたテストプラグについて記載されている。上記テストプラグは、電気試験を行うための棒状電極を有する機器に接続され、かつ同軸上に配設される対をなす第１の端子及び第２の端子と、前面側に配置される第１の端子又は第２の端子を覆う絶縁体とを備える。上記絶縁体には、棒状電極が挿入され、その先端部を第１の端子又は第２の端子に電気的に接続させるための挿入孔が形成されている。
【０００３】
特許文献２には、分電盤にアース線を接続するアース接続端子において、アース線と分電盤アース接続端子との取付け及び取外しの容易化且つ接触の確実化を図り感電事故などの発生を防止することを目的として構成された分電盤アース接続端子について記載されている。分電盤アース接続端子は、一端に摘み部及び他端にアース線を押圧する係止部を備えるクリップのほぼ中間部を分電盤の台板に固定された支持金具に枢着し、クリップの係止部が台板に取り付けられた端子金属板に密着するようにクリップにスプリングを取付けて回転力を付与し、アース線をクリップの係止部と端子金属板との間に挟着する構成を有する。
【先行技術文献】
【特許文献】
【０００４】
【特許文献１】特開２０１２−１２７７１４号公報
【特許文献２】実開平６−６８３０７号公報
【発明の概要】
【発明が解決しようとする課題】
【０００５】
図８は、電気盤の一例として示すリレー盤１０を正面パネル１１の方向から眺めた図である。同図に示すように、リレー盤１０の正面パネル１１には、制御回路ユニット１２１，１２２やリレーユニット１３１，１３２とともに、電気試験に用いる多数のターミナル（第１アースターミナル５１、第２アースターミナル５２、第１テストターミナル群１１１，第２テストターミナル群１１２）が設けられている。
【０００６】
ここで上記リレー盤１０を対象とした電気試験は、例えば、次の手順で行われる。即ち図９に示すように、まず測定器３の一方の測定棒４１ｂを第１アースターミナル５１に取付け、その後、他方の測定棒４１ａを第１テストターミナル群１１１の各テストターミナル１６に順次接触させていくことにより、第１テストターミナル群１１１について試験を行う。続いて、一方の測定棒４１ｂを第１アースターミナル５１から外して第２アースターミナル５２に付け直し、その後、他方の測定棒４１ａを第２テストターミナル群１１２の各テストターミナル１６に順次接触させていくことにより、第２テストターミナル群１１２について試験を行う。
【０００７】
このように、電気盤の正面パネル１１には広範囲に亘ってテストターミナルが設けられていることがあり、これらのテストターミナルを対象とした試験に際しては、測定棒を途中で付け直す必要があり、作業が繁雑であるとともに、こうした作業が繰り返されると測定棒を痛めてしまう。
【０００８】
またアースターミナルの構造が、例えば、特許文献２に示されるようなネジ込み式である場合、取り付けや取り外しに手間と時間を要し、とくに試験箇所が多い場合は作業者は多大な負担を強いられる。またねじ込み力が不十分だと測定中に測定棒が外れてしまうことがあり、逆にねじ込み過ぎれば測定棒を痛めてしまう。また試験中に測定棒を強く引っ張り過ぎて測定棒の素線（図９に示す符号４３）を切ってしまうこともある。
【０００９】
尚、測定棒をアースターミナルに取り付けずに手でアースターミナルに当てて試験を行うことも考えられるが、測定中に手が離れたり接触が不安定になる等、測定が難しい場合があり、またターミナルの間隔が離れていると手が届かないこともある。
【００１０】
特許文献１は、ねじ込み式ではなく板バネで測定棒を止めておく構成であるが、板バネの力だけでは測定棒が簡単に外れてしまう可能性がある。またアースターミナルにワニ口クリップ程度の大きさのものを接続したいこともあるが、特許文献１の端子部は測定棒に特化した形状になっているため、測定棒以外の構成を繋ぐことはできない。
【００１１】
本発明は、こうした背景に鑑みてなされたもので、電気盤のアースターミナルに測定棒を取り付けて行われる電気試験を効率よく行うこと等を目的としている。
【課題を解決するための手段】
【００１２】
上記目的を達成するための本発明のうちの一つは、電気盤のアースターミナルの構造であって、一方の端面に測定器の測定棒が差し込まれる差込孔を有する筒状部材と、前記筒状部材の内部に設けられる弾性体と、前記弾性体の弾性力により前記測定棒を所定の把持力で把持する測定棒把持機構と、外部から行われる押込み操作を前記弾性体に作用させて前記把持力を解除する把持力解除機構と、を備える。
【００１３】
本発明によれば、測定棒把持機構により測定棒を所定の把持力で確実に把持することができるとともに、押込み操作により測定棒把持機構の把持力を解除できることでユーザは容易に測定棒を取り外すことができる。このため、電気盤のアースターミナルに測定棒を繋いで行われる電気試験を効率よく行うことができる。
【００１４】
本発明の他の一つは、上記アースターミナル構造であって、前記弾性体は、所定長さで延出する平面状の部材からなる柄部、前記柄部に連続して形成され、弧状断面を有する測定棒当接部、及び、前記測定棒当接部に連続して形成され、前記差込孔から差し込まれる前記測定棒を前記測定棒当接部の方向にガイドする測定棒ガイド部、を有するとともに、前記測定棒を前記測定棒当接部の間に所定の把持力で挟持するように対向して配置される一対の測定棒挟持片を含み、前記把持力解除機構は、外部から行われる押込み操作を前記柄部に作用させて前記把持力を解除する。
【００１５】
このように、測定棒を把持するための所定の把持力を生じさせる弾性体は、例えば一対の測定棒挟持片を用いて容易かつ安価に構成することができる。
【００１６】
本発明の他の一つは、上記アースターミナル構造であって、前記弾性体は、前記一対の測定棒挟持片に前記把持力となる付勢力を与えるコイルバネを含む。
【００１７】
このように、測定棒を把持するための所定の把持力を生じさせる弾性体としては、例えば、コイルバネを用いることができる。
【００１８】
本発明の他の一つは、上記アースターミナル構造であって、前記把持力解除機構は、外部から行われる押込み操作により前記筒状部材の内部に押し込まれ、前記弾性体に当接して前記弾性体に作用する操作ボタンを含む。
【００１９】
本発明の他の一つは、上記アースターミナル構造であって、前記差込孔を開閉する蓋体、及び、前記蓋体が前記測定棒により押圧された場合は前記差込孔を開くように前記蓋体に作用し、前記差込孔から前記測定棒が引き抜かれた際は前記差込孔を閉じるように前記蓋体に作用する付勢機構、を含む防塵機構、を更に備える。
【００２０】
このようにアースターミナルは防塵構造を備えるので、筒状部材の内部への塵や埃の侵入を防ぐことができ、アースターミナルの耐久性を向上することができる。
【００２１】
本発明の他の一つは、上記アースターミナル構造であって、前記筒状部材の前記一方の端面に対応する他方の端面に設けられ、前記電気盤に形成されたスリットに挿入されてその先端部が前記電気盤の内部に設けられたアースバーに当接する接触棒、及び、前記接触棒を前記アースバーの方向に付勢する付勢機構を含む、スライド機構、を更に備える。
【００２２】
本発明によれば、単純な操作でアースターミナルをスリットの任意の位置に固定することができ、アースターミナルを試験対象となるテストターミナルの近い位置に固定することができる。このため、アースターミナルを移動する際、測定棒をアースターミナルに付け直す必要がなく、正面パネルの広い範囲に設けられている複数のテストターミナルを対象とした試験を効率よく行うことができる。また測定棒をアースターミナルに付け直す必要がないため、測定棒を痛めてしまうこともない。
【００２３】
その他、本願が開示する課題、及びその解決方法は、発明を実施するための形態の欄、及び図面により明らかにされる。
【発明の効果】
【００２４】
本発明によれば、電気盤のアースターミナルに測定棒を繋いで行われる電気試験を効率よく行うことができる。
【図面の簡単な説明】
【００２５】
【図１】電気盤の一例として示すリレー盤１０の筐体を正面パネル１１（盤面）の方向から眺めた図（正面図）である。
【図２】アースターミナル１５周辺の構成を説明する拡大斜視図である。
【図３】アースターミナル１５の内部構造を説明する図である。
【図４】測定棒４１をアースターミナル１５に装着した状態におけるアースターミナル１５の内部の様子を示す模式図である。
【図５】測定棒４１をアースターミナル１５から取り外す際におけるアースターミナル１５の内部の様子を示す模式図である。
【図６】スライド機構を説明する図である。
【図７】スライド機構を利用した電気試験の様子を示す図である。
【図８】従来のリレー盤１０を正面パネル１１の方向から眺めた図である。
【図９】従来のリレー盤１０を対象とした電気試験の様子を示す図である。
【発明を実施するための形態】
【００２６】
以下、図面とともに本発明の一実施形態について詳細に説明する。尚、以下の説明において、同一又は類似の構成について共通の符号を付すことにより重複した説明を省略することがある。
【００２７】
図１は、電気盤の一例として示すリレー盤１０を正面パネル１１（盤面）の方向から眺めた図（正面図）である。同図に示すように、リレー盤１０は略直方体状であり、同図における＋Ｚの方向に奥行きを有する。リレー盤１０には、例えば、送電設備や変電設備、配電設備等として設けられる各種電気設備（例えば、保護継電器、過電流継電器、地絡過電流継電器等）の保護回路を構成する各種電気／電子部品等が実装される。尚、図１にはリレー盤１０の正面パネル１１に設けられる構成のうち主な構成のみを示してある。
【００２８】
同図に示すように、リレー盤１０の正面パネル１１には、下方から上方に向けて（同図において＋Ｙ方向）、第１テストターミナル群１１１、第１制御回路ユニット１２１、第１リレーユニット１３１、第２テストターミナル群１１２、第２制御回路ユニット１２２、及び第２リレーユニット１３２が順に配設されている。
【００２９】
同図に示すように、正面パネル１１の左下部分（同図において−Ｘ側かつ−Ｙ側の部分）には、同図におけるＹ軸の方向に沿って所定長さで形成されたスリット１２が形成されており、このスリット１２に沿ってスライド可能に半固定の状態でアースターミナル１５が設けられている。尚、本実施形態では、スリット１２に単数のアースターミナル１５を設けた場合について説明するが、スリット１２には複数のアースターミナル１５を設けてもよい。
【００３０】
第１テストターミナル群１１１及び第２テストターミナル群１１２は、いずれも複数のテストターミナル１６を含む。同図に示すように、第２テストターミナル群１１２は、第１テストターミナル群１１１から離れた位置に設けられている。テストターミナル１６は、例えば、ＰＴＴ（電圧テストターミナル）、ＣＴＴ（電流テストターミナル）等である。各テストターミナル１６のタイプは、例えば、陸式ターミナル、ジョンソンターミナル等である。テストターミナル１６は、例えば、アースターミナル１５の後述する構造と同様の構造を有していてもよい。
【００３１】
第１制御回路ユニット１２１及び第２制御回路ユニット１２２は、例えば、リレーの制御や監視を行う回路や他の電気設備との間で通信するための回路等を有する。第１リレーユニット１３１及び第２リレーユニット１３２は、例えば、保護回路を構成する複数のリレーを含む。
【００３２】
［アースターミナル］
図２は、アースターミナル１５周辺の構成を説明する拡大斜視図である。同図に示すように、アースターミナル１５は、作業者が指で摘まめる程度の長さの外径を有する円筒状部材１５１を備える。円筒状部材１５１の正面側（−Ｚ側）の端面１５１１には、電気試験に用いる電圧計等の測定器の測定棒やワニ口クリップ等が挿入される、円形の差込孔１５２が形成されている。差込孔１５２の入口付近には、円筒状部材１５１の内部への埃や塵の侵入を防ぐための蓋体１５３が設けられている。差込孔１５２の内径は、少なくとも２つの測定棒を同時に差し込むこと、もしくはワニ口クリップの挟持片の一方を差し込むことが可能な程度の大きさを有する。
【００３３】
円筒状部材１５１の周側面１５１３の付け根に近い位置（正面パネル１１の近傍）の上下（＋Ｙ側及び−Ｙ側）所定位置には、後述する把持力解除機構の構成要素である操作ボタン１５４ａ，１５４ｂが配設されている。尚、後述するスライド操作に際して作業者が円筒状部材１５１を指で摘まみ上げる際の利便性を考慮して、例えば、円筒状部材１５１のアースターミナル１５の外周側面１５１３にはローレット加工（斜め、平目、綾目）等の粗面加工を施してもよい。
【００３４】
図３はアースターミナル１５の内部構造を説明する図であり、図２に示したアースターミナル１５の内部を図２のａ−ａ’方向から眺めた図である。円筒状部材１５１の内部には、差込孔１５２から挿入された測定棒を所定の把持力で把持する測定棒把持機構、測定棒把持機構による把持力を解除する把持力解除機構、及び円筒状部材１５１の内部への塵や埃の侵入を防ぐ防塵機構等が設けられている。以下、これらについて詳述する。
【００３５】
測定棒把持機構は、弾性体の弾性力により測定棒を所定の把持力で把持する構成を含む。この所定の把持力は、電気試験の作業中に測定棒がアースターミナル１５から外れてしまわない程度であり、かつ、測定棒が不用意に強い力で引っ張られた際に測定棒の素線が切れてしまわない程度の強さに設定される。同図に示すように、測定棒把持機構は、上記弾性体として機能する、一対の測定棒挟持片３１ａ，３１ｂ、及びこれら一対の測定棒挟持片３１ａ，３１ｂに付勢力を与えるコイルバネ３２を含む。
【００３６】
同図に示すように、一対の測定棒挟持片３１ａ，３１ｂはほぼ同形同大であり、円筒状部材１５１の中心軸に対して略線対称な位置関係で対向して設けられる。同図に示すように、測定棒挟持片３１ａ，３１ｂは、夫々、所定長さで延出する平面状の部材からなる柄部３１１ａ，３１１ｂ、柄部３１１ａ，３１１ｂに連続して形成され、円筒状部材１５１の中心軸の方向に突出する弧状断面を有する測定棒当接部３１２ａ，３１２ｂ、測定棒当接部３１２ａ，３１２ｂに連続して形成され、円筒状部材１５１の中心軸に平行に延出する測定棒ガイド部３１３ａ，３１３ｂを有する。２つの測定棒ガイド部３１３ａ，３１３ｂ間の距離は、差込孔１５２の内径と同程度に設定される。２つの測定棒挟持片３１ａ，３１ｂはいずれも導体であり、差込孔１５２から差し込まれる測定棒と電気的に接続される。
【００３７】
同図に示すように、２つの測定棒挟持片３１ａ，３１ｂの夫々の柄部３１１ａ，３１１ｂ間の距離（Ｙ軸方向の距離）は＋Ｚ側ほど長くなっている。各測定棒挟持片３１ａ，３１ｂの柄部３１１ａ，３１１ｂの間には、コイルバネ３２が設けられている。コイルバネ３２は、各柄部３１１ａ，３１１ｂを離間させる方向（円筒状部材１５１の周側面の方向）に付勢力を与える。コイルバネ３２は鋼材等の線材からなり、線材を螺旋状に巻回した螺旋状部３２１、及び螺旋状部３２１の各端部から所定長さで延出する２つの直線状部３２２ａ，３２２ｂを有する。コイルバネ３２の各直線状部３２２ａ，３２２ｂは夫々、柄部３１１ａ，３１１ｂに当接している。
【００３８】
後述するように、アースターミナル１５に測定棒を装着した状態では、測定棒の先端部が測定棒当接部３１２ａ，３１２ｂの間に挟持された状態となる。またアースターミナル１５に測定棒が装着されていない状態では、測定棒当接部３１２ａ，３１２ｂの間の距離は最短（両者は弧状断面の頂部近傍で接触してもよい）となる。
【００３９】
前述した弾性体として機能する２つの測定棒挟持片３１ａ，３１ｂ及びコイルバネ３２は、これらにより発揮される後述の機能が阻害されないように円筒状部材１５１の所定位置に支持される。例えば、測定棒挟持片３１ａ，３１ｂは、円筒状部材１５１の内周面の所定箇所に係止されることにより支持される。また例えば、コイルバネ３２は、その螺旋状部３２１を貫通して設けられた棒状部材（不図示）の両端を円筒状部材１５１の内周面に係止することにより支持される。
【００４０】
把持力解除機構は、外部から行われる押込み操作を前述した弾性体に作用させることにより前述した把持力を解除する構成を含む。本実施形態では、把持力解除機構は、円筒状部材１５１の周側面の所定位置に対向させて形成された２つの取付孔１５５ａ，１５５ｂの夫々に係止された、柱状もしくは筒状の２つの操作ボタン１５４ａ，１５４ｂと、円筒状部材１５１の内部に設けられ、２つの操作ボタン１５４ａ，１５４ｂの夫々に円筒状部材１５１の外周方向（円筒状部材１５１の中心軸から遠ざかる方向）に向かう付勢力を与える押しバネ１５６ａ，１５６ｂとを含む。
【００４１】
各操作ボタン１５４ａ，１５４ｂの長手方向の長さ（Ｙ軸方向の長さ）は、人が押しバネ１５６ａ，１５６ｂの付勢力に逆らって操作ボタン１５４ａ，１５４ｂを円筒状部材１５１の内周方向に押し込む操作を行った場合に、操作ボタン１５４ａ，１５４ｂの端部が２つの測定棒挟持片３１ａ，３１ｂの夫々に当接して測定棒挟持片３１ａ，３１ｂが中心軸の方向に押し込まれる程度の長さに設定される。
【００４２】
防塵機構は、円筒状部材１５１の差込孔１５２を開閉する平板状の蓋体１５３と、蓋体１５３に差込孔１５２を閉じる方向に付勢力を与えるコイルバネ３３とを含む。コイルバネ３３は、２つの直線状部３４ａ，３４ｂと螺旋状部３５とを有し、直線状部３４ａは蓋体１５３の裏面に、直線状部３４ｂは測定棒ガイド部３１３ａの差込孔１５２の近傍に、夫々固定もしくは係止されている。このようにアースターミナル１５は防塵構造を備えるので、円筒状部材１５１の内部への塵や埃の侵入を防ぐことができ、アースターミナル１５の耐久性を向上することができる。
【００４３】
［スライド機構］
図３に示すように、円筒状部材１５１の＋Ｚ側の端面１５１２の略中央には、正面パネル１１のスリット１２を貫通し、円筒状部材１５１の中心軸の方向に所定長さで延出する接触棒１５７が設けられている。接触棒１５７の＋Ｚ側の端部はリレー盤１０の筐体内部に設けられているアースバー２１（接地棒）に当接する。
【００４４】
接触棒１５７の周囲には、当該接触棒１５７に＋Ｚ方向の付勢力を与える押しバネ１５８が挿着されている。尚、押しバネ１５８の外径は、スリット１２から抜け落ちてしまわないようにスリット１２の幅よりも大きく設定されている。接触棒１５７の周側面の先端部近傍には、押しバネ１５８の端部が係止される突起１５７１ａ，１５７１ｂが設けられている。アースターミナル１５は、押しバネ１５８が接触棒１５７の端部をアースバー２１に押し付けることにより生じる、接触棒１５７の先端部とアースバー２１との間の摩擦力、及び円筒状部材１５１の＋Ｚ側の端面１５１２と正面パネル１１の間の摩擦力によって、スリット１２の任意の高さ位置に半固定の状態で支持される。
【００４５】
接触棒１５７と押しバネ１５８は、アースターミナル１５をスリット１２に沿ってスライド可能とするための機構（以下、「スライド機構」と称する。）を構成する。接触棒１５７は導体であり、接触棒１５７と２つの測定棒挟持片３１ａ，３１ｂとは電気的に接続されている。このため、接触棒１５７がアースバー２１に当接した状態では、差込孔に差し込まれて測定棒把持機構に把持されている測定棒４１はアースバー２１と電気的に接続（導通）される。
【００４６】
続いて、以上に説明した構造からなるアースターミナル１５の機能について説明する。
【００４７】
［測定棒の取り付けと取り外し］
図４は、測定棒４１をアースターミナル１５に装着した状態におけるアースターミナル１５の内部の様子を示す模式図である。作業者が、蓋体１５３を円筒状部材１５１の内側に押し込むようにして測定棒４１ｂを差込孔１５２から差し込むと、測定棒４１ｂは、２つの測定棒挟持片３１ａ，３１ｂの夫々の測定棒ガイド部３１３ａ，３１３ｂの間を通過した後、２つの測定棒当接部３１２ａ，３１２ｂの間をこじ開け、最終的にその先端部は２つの測定棒当接部３１２ａ，３１２ｂの間に挟持される。
【００４８】
図５は、測定棒４１ｂをアースターミナル１５から取り外す際におけるアースターミナル１５の内部の様子を示す模式図である。測定棒４１ｂをアースターミナル１５から取り外す場合、まず作業者は２つの操作ボタン１５４ａ，１５４ｂを押し込む。これにより測定棒挟持片３１ａ，３１ｂの全体は測定棒当接部３１２ａ，３１２ｂが円筒状部材１５１の中心軸から離れる方向に湾曲し、測定棒当接部３１２ａ，３１２ｂの弧状の頂部の間が開いてこれらによる測定棒４１ｂの把持力が解除される。作業者はこの状態で測定棒４１ｂを−Ｚ方向に引くことで、測定棒４１ｂを簡単にアースターミナル１５から取り外すことができる。
【００４９】
このように作業者は、測定棒４１ｂを差込孔１５２から円筒状部材１５１に差し込むだけで、測定棒４１ｂをアースターミナル１５に容易に装着することができる。また装着に際し測定棒４１ｂを痛めてしまうこともない。また前述した弾性体の付勢力は作業中に外れてしまうことがない程度の強さに設定されており、測定棒４１ｂは弾性体の付勢力によって確実にアースターミナル１５に装着される。
【００５０】
また作業者は、操作ボタン１５４ａ，１５４ｂを操作することで弾性体の付勢力を容易に解除することができ、測定棒４１ｂを簡単にアースターミナル１５から取り外すことができる。また前述したように弾性体の付勢力は、測定棒４１ｂが強く引っ張られた際は外れる程度であるので、測定棒４１ｂが強く引っ張られた際に素線４３が切れてしまうようなこともない。
【００５１】
また差込孔１５２の内径は、少なくとも２つの測定棒を同時に差し込むことが可能であり、ワニ口クリップの挟持片の一方を差し込むことも可能な程度の大きさであるので、本実施形態のアースターミナル１５は様々なタイプの電気試験に柔軟に対応することができる。
【００５２】
［スライド機構の動作］
続いて、図６及び図７とともに、前述したスライド機構の動作について詳述する。作業者は、スライド機構によりアースターミナル１５をスリット１２に沿って任意の高さ位置に移動させ固定することができる。
【００５３】
図６はスライド機構を説明する図である。同図において、アースターミナル１５は、当初（ａ）の位置に固定されているものとする。この状態で、作業者が押しバネ１５８の付勢力に逆らって円筒状部材１５１を−Ｚ方向に摘まみ上げると、接触棒１５７の先端部がアースバー２１から離れて上記摩擦力が解除され、アースターミナル１５はスリット１２に沿って上下に楽に移動可能な状態となる（同図に示す（ｂ）の状態）。続いて作業者は、円筒状部材１５１を−Ｚ方向につまみ上げたままアースターミナル１５を移動させ、移動先で円筒状部材１５１を離す。これによりアースターミナル１５は移動先に固定される（同図に示す（ｃ）の状態）。
【００５４】
このように、スライド機構によれば、作業者は測定棒４１をアースターミナル１５から取り外すことなく、単純な操作でアースターミナル１５をスリット１２の任意の位置に固定することができる。このため、アースターミナル１５を試験対象となるテストターミナル１６の近くに容易に固定することができ、正面パネル１１の広い範囲に設けられている多数のテストターミナル１６を対象とした試験を効率よく行うことができる。また測定棒４１をアースターミナル１５に付け直す必要がないため、測定棒４１を痛めてしまうこともない。
【００５５】
図７にスライド機構を利用した電気試験の様子を示す。この例では、まず第１テストターミナル群１１１に近い位置にアースターミナル１５を固定して第１テストターミナル群１１１のテストターミナル１６について試験を行い、続いて、アースターミナル１５をスリット１２に沿って第２テストターミナル群１１２に近い位置にアースターミナル１５を移動させて固定し、第２テストターミナル群１１２のテストターミナル１６について試験を行っている。
【００５６】
このように、本実施形態のアースターミナル１５によれば、第１テストターミナル群１１１及び第２テストターミナル群１１２の夫々のアースターミナル１５を対象とした試験を効率よく実施することができる。
【００５７】
ところで、以上の説明は、本発明の理解を容易にするためのものであり、本発明を限定するものではない。本発明はその趣旨を逸脱することなく、変更、改良され得ると共に本発明にはその等価物が含まれることは勿論である。
【符号の説明】
【００５８】
１０  リレー盤、１１  正面パネル、３１ａ，３１ｂ  測定棒挟持片、３１１ａ，３１１ｂ  柄部、３１２ａ，３１２ｂ  測定棒当接部、３１３ａ，３１３ｂ  測定棒ガイド部、３２  コイルバネ、３２２ａ，３２２ｂ  直線状部、３２１  螺旋状部、３３  コイルバネ、３４ａ，３４ｂ  直線状部、３５  螺旋状部、４１  測定棒、１１１  第１テストターミナル群、１１２  第２テストターミナル群、１２１  第１制御回路ユニット、１２２  第２制御回路ユニット、１３１  第１リレーユニット、１３２  第２リレーユニット１３２、１２  スリット、１５  アースターミナル、１６  テストターミナル、１５１  円筒状部材、１５１１  端面、１５１３  周側面、１５２  差込孔、１５３  蓋体、１５４ａ，１５４ｂ  操作ボタン、１５５ａ，１５５ｂ  取付孔、１５６ａ，１５６ｂ  押しバネ
１５７  接触棒、１５８  押しバネ、２１  アースバー
【図１】
2017123219.tif 000003
【図２】
2017123219.tif 000004
【図３】
2017123219.tif 000005
【図４】
2017123219.tif 000006
【図５】
2017123219.tif 000007
【図６】
2017123219.tif 000008
【図７】
2017123219.tif 000009
【図８】
2017123219.tif 000010
【図９】
2017123219.tif 000011